【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
供試インピーダンスに流す通電電流に矩形状の変化を与えたときの前記供試インピーダンスの両端電圧を時系列的に求め、この求めた電圧データから前記供試インピーダンスの等価回路を構成するパラメータを推定することを特徴とするインピーダンスパラメータの推定方法。
【請求項２】
供試インピーダンスに流す通電電流に矩形状の変化を与えたときの前記供試インピーダンスの両端電圧を時系列的に求め、この求めた電圧データから前記供試インピーダンスの等価回路を構成するパラメータを推定するにあたり、電圧データの平均値もしくは推定されたパラメータの平均値を用いることを特徴とするインピーダンスパラメータの推定方法。
【請求項３】
供試インピーダンスに流す通電電流に矩形状の変化を与えたときの前記供試インピーダンスの両端電圧を時系列的に求め、この求めた電圧データから前記供試インピーダンスの等価回路を構成するパラメータを算出してパラメータ初期値とし、
前記パラメータ初期値を前記供試インピーダンスの等価回路を構成するパラメータに代入して前記供試インピーダンスの両端電圧を計算により求め、
前記計算で求めた供試インピーダンスの両端電圧と、実際に測定した前記時系列電圧データとの誤差を求め、
前記誤差が最小となるときの前記供試インピーダンスの等価回路を構成するパラメータを推定することを特徴とするインピーダンスパラメータの推定方法。
【請求項４】
供試インピーダンスに流す通電電流に矩形状の変化を与えたときの前記供試インピーダンスの両端電圧を時系列的に求め、この求めた電圧データの平均値から前記供試インピーダンスの等価回路を構成するパラメータを算出してパラメータ初期値とし、
前記パラメータ初期値を前記供試インピーダンスの等価回路を構成するパラメータに代入して前記供試インピーダンスの両端電圧を計算により求め、
前記計算で求めた供試インピーダンスの両端電圧と、実際に測定した前記時系列電圧データ平均値との誤差を求め、
前記誤差が最小となるときの前記供試インピーダンスの等価回路を構成するパラメータを推定することを特徴とするインピーダンスパラメータの推定方法。
【請求項５】
前記矩形状の電流変化は、通電電流をその基準値に対して増減させることを特徴とする請求項１乃至４のいずれかに記載のインピーダンスパラメータの推定方法。
【請求項６】
測定対象の供試インピーダンスの等価回路を構成するパラメータ値を推定するインピーダンスパラメータの推定装置において、
前記供試インピーダンスに対して、通電電流である直流電流を供給するとともに予め定めた時間だけ前記通電電流に矩形状の電流変化を与えることが可能な電流供給手段と、
前記予め定めた時間の直前の時刻及び前記予め定めた時間内の少なくとも２点の時刻における前記供試インピーダンスの両端電圧を測定する電圧測定手段と、
前記電圧測定手段により得られたデータを用いて前記供試インピーダンスの等価回路を構成するパラメータ値を推定することを特徴とするインピーダンスパラメータの推定装置。
【請求項７】
測定対象の供試インピーダンスの等価回路を構成するパラメータ値を推定するインピーダンスパラメータの推定装置において、
前記供試インピーダンスに対して、通電電流である直流電流を供給するとともに予め定めた時間だけ前記通電電流に矩形状の電流変化を与えることが可能な電流供給手段と、
前記予め定めた時間の直前の時刻及び前記予め定めた時間内の少なくとも２点の時刻における前記供試インピーダンスの両端電圧を測定する電圧測定手段と、
前記電圧測定手段により得られたデータを用いて算出した前記パラメータの初期値と、
この初期値を前記等価回路に適用して供試インピーダンスの両端電圧を計算により求め、
前記電圧測定手段により得られたデータと前記模擬供試インピーダンスの両端電圧との誤差を最小とするカーブフィット手段とから成り、
前記供試インピーダンスの等価回路を構成するパラメータ値を推定することを特徴とするインピーダンスパラメータの推定装置。
【請求項８】
前記矩形状の電流変化は、通電電流をその基準値に対して増減させることを特徴とする請求項６又は７に記載のインピーダンスパラメータの推定装置。
【手続補正２】
【補正対象書類名】明細書
【補正対象項目名】００１６
【補正方法】変更
【補正の内容】
【００１６】
（１）供試インピーダンスに流す通電電流に矩形状の変化を与えたときの前記供試インピーダンスの両端電圧を時系列的に求め、この求めた電圧データから前記供試インピーダンスの等価回路を構成するパラメータを推定するインピーダンスパラメータの推定方法。
（２）供試インピーダンスに流す通電電流に矩形状の変化を与えたときの前記供試インピーダンスの両端電圧を時系列的に求め、この求めた電圧データから前記供試インピーダンスの等価回路を構成するパラメータを推定するにあたり、電圧データの平均値もしくは推定されたパラメータの平均値を用いるインピーダンスパラメータの推定方法。
（３）供試インピーダンスに流す通電電流に矩形状の変化を与えたときの前記供試インピーダンスの両端電圧を時系列的に求め、この求めた電圧データから前記供試インピーダンスの等価回路を構成するパラメータを算出してパラメータ初期値とし、
前記パラメータ初期値を前記供試インピーダンスの等価回路を構成するパラメータに代入して前記供試インピーダンスの両端電圧を計算により求め、
前記計算で求めた供試インピーダンスの両端電圧と、実際に測定した前記時系列電圧データとの誤差を求め、
前記誤差が最小となるときの前記供試インピーダンスの等価回路を構成するパラメータを推定するインピーダンスパラメータの推定方法。
（４）供試インピーダンスに流す通電電流に矩形状の変化を与えたときの前記供試インピーダンスの両端電圧を時系列的に求め、この求めた電圧データの平均値から前記供試インピーダンスの等価回路を構成するパラメータを算出してパラメータ初期値とし、
前記パラメータ初期値を前記供試インピーダンスの等価回路を構成するパラメータに代入して前記供試インピーダンスの両端電圧を計算により求め、
前記計算で求めた供試インピーダンスの両端電圧と、実際に測定した前記時系列電圧データ平均値との誤差を求め、
前記誤差が最小となるときの前記供試インピーダンスの等価回路を構成するパラメータを推定するインピーダンスパラメータの推定方法。
（５）前記矩形状の電流変化は、通電電流をその基準値に対して増減させる上記（１）乃至（４）のいずれかのインピーダンスパラメータの推定方法。
（６）測定対象の供試インピーダンスの等価回路を構成するパラメータ値を推定するインピーダンスパラメータの推定装置において、
前記供試インピーダンスに対して、通電電流である直流電流を供給するとともに予め定めた時間だけ前記通電電流に矩形状の電流変化を与えることが可能な電流供給手段と、
前記予め定めた時間の直前の時刻及び前記予め定めた時間内の少なくとも２点の時刻における前記供試インピーダンスの両端電圧を測定する電圧測定手段と、
前記電圧測定手段により得られた電圧データから前記供試インピーダンスの等価回路を構成するパラメータを推定するにあたり、電圧データの平均値もしくは推定されたパラメータの平均値を用いるインピーダンスパラメータの推定装置。
（７）測定対象の供試インピーダンスの等価回路を構成するパラメータ値を推定するインピーダンスパラメータの推定装置において、
前記供試インピーダンスに対して、通電電流である直流電流を供給するとともに予め定めた時間だけ前記通電電流に矩形状の電流変化を与えることが可能な電流供給手段と、
前記予め定めた時間の直前の時刻及び前記予め定めた時間内の少なくとも２点の時刻における前記供試インピーダンスの両端電圧を測定する電圧測定手段と、
前記電圧測定手段により得られたデータを用いて算出した前記パラメータの初期値と、
この初期値を前記等価回路に適用して供試インピーダンスの両端電圧を計算により求め、
前記電圧測定手段により得られたデータと前記模擬供試インピーダンスの両端電圧との誤差を最小とするカーブフィット手段とから成り、
前記供試インピーダンスの等価回路を構成するパラメータ値を推定するインピーダンスパラメータの推定装置。
（８）前記矩形状の電流変化は、通電電流をその基準値に対して増減させる上記（６）又は（７）のインピーダンスパラメータの推定装置。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】